(57)【要約】【課題】撮影者自身が閲覧した場合も閲覧者の画像として区別無く扱われてしまう問題があった。【解決手段】ステップＳ５０３では、制御部４は、表示部７に再生している被写体画像９ａと対応する撮影者画像９ｂを記憶部９より読み出す。そして、ステップＳ５０４では、制御部４は、閲覧者画像は撮影者自身かを判別する。ステップＳ５０４で、閲覧者画像は撮影者自身であると判別された場合は、ステップＳ５０５へ進み、制御部４は、閲覧者画像の識別情報を撮影者とする。そして、閲覧者画像に対応して、記憶部９の識別情報９ｄとして「１」を記憶する。ステップＳ５０４で、閲覧者画像は撮影者自身ではないと判別された場合は、ステップＳ５０８へ進み、制御部４は、閲覧者画像の識別情報を閲覧者とする。そして、閲覧者画像に対応して、記憶部９の識別情報９ｄとして「０」を記憶する。【選択図】図５
2018148564.tif 000002
【特許請求の範囲】
【請求項１】
被写体が撮影された第１画像と、前記被写体の撮影を行った撮影者が撮影された第２画像とを対応付けて記憶する記憶部と、
前記記憶部に記憶されている前記第１画像を再生する再生部と、
前記再生部で前記第１画像を再生すると、前記第１画像の閲覧者が撮影された第３画像を取得する取得部と、
前記第３画像を前記第２画像と区別して前記第１画像に対応付けて前記記憶部に記憶する制御部とを備える撮像装置。
【請求項２】
請求項１に記載の撮像装置において、
前記制御部は、前記第２画像と前記第３画像とにより前記第２画像と前記第３画像とを区別して前記記憶部に記憶する撮像装置。
【請求項３】
請求項１または２に記載の撮像装置において、
前記被写体を撮影して前記第１画像を生成する第１撮像部と、
前記撮影者を撮影して前記第２画像を生成する第２撮像部とをさらに備える撮像装置。
【請求項４】
請求項１から３のいずれか一項に記載の撮像装置において、
前記再生部は、再生する前記第１画像に対応する前記第３画像を前記記憶部から読み出して再生する撮像装置。
【請求項５】
請求項１から３のいずれか一項に記載の撮像装置において、
前記制御部は、前記第３画像が前記撮影者でないと、前記第３画像が前記撮影者ではないことを示す第１の識別情報と前記第３画像とを前記第１画像に対応付けて前記記憶部に記憶し、前記第３画像が前記撮影者であると、前記第３画像が前記撮影者であることを示す第２の識別情報と前記第３画像とを前記第１画像に対応付けて前記記憶部に記憶する撮像装置。
【請求項６】
請求項５に記載の撮像装置において、
前記再生部は、前記再生の対象とする前記第１画像を前記記憶部より読み出し、読み出した前記第１画像に前記第１の識別情報が含まれていると、前記撮影者ではない前記第３画像を再生し、前記第２の識別情報が含まれていると、前記撮影者である前記第３画像を再生する撮像装置。
【請求項７】
請求項６に記載の撮像装置において、
前記第１の識別情報もしくは前記第２の識別情報を指定する操作部を更に備え、
前記再生部は、前記操作部の操作によって指定された前記第１の識別情報もしくは前記第２の識別情報で指示された前記第３画像を再生する撮像装置。
【請求項８】
請求項１〜７のいずれか一項に記載の撮像装置において、
前記第３画像を評価する評価部を更に備え、
前記制御部は、前記評価部による評価を前記第３画像に対応付けて前記記憶部に記憶する撮像装置。
【請求項９】
請求項８に記載の撮像装置において、
前記評価部は、前記第３画像に含まれる画像の笑顔の人数を前記評価として検出し、
前記制御部は、前記評価の高い前記第３画像を前記記憶部に記憶する撮像装置。
【請求項１０】
請求項３に記載の撮像装置において、
前記撮影者が前記撮像装置を保持しているかを検出する保持検出部を更に備え、
前記第２撮像部は、前記保持検出部で前記撮影者が前記撮像装置を保持していることが検出されている間に、前記撮影者を撮影することを特徴とする撮像装置。
【発明の詳細な説明】
【技術分野】
【０００１】
本発明は、被写体を撮影する撮像装置に関する。
【背景技術】
【０００２】
被写体を撮影する主撮像装置の他に、画像の再生時に、液晶画面を閲覧している者を撮影する副撮像装置を備えたデジタルカメラが知られている。このデジタルカメラは、副撮像装置で撮影された閲覧者の画像の笑顔の情報に基づいて、表示画面に表示されている画像のお気に入り度を求めている。（特許文献１）
【先行技術文献】
【特許文献】
【０００３】
【特許文献１】特開２０１２−１５６７５０号公報
【発明の概要】
【発明が解決しようとする課題】
【０００４】
しかし、特許文献１に記載のデジタルカメラでは、撮影者自身が閲覧した場合も閲覧者の画像として区別無く扱われてしまう問題があった。
【課題を解決するための手段】
【０００５】
本発明の一態様による撮像装置は、被写体が撮影された第１画像と、前記被写体の撮影を行った撮影者が撮影された第２画像とを対応付けて記憶する記憶部と、前記記憶部に記憶されている前記第１画像を再生する再生部と、前記再生部で前記第１画像を再生すると、前記第１画像の閲覧者が撮影された第３画像を取得する取得部と、前記第３画像を前記第２画像と区別して前記第１画像に対応付けて前記記憶部に記憶する制御部とを備える。
【発明の効果】
【０００６】
本発明によれば、撮影者の画像と閲覧者の画像を適切に扱うことができる。
【図面の簡単な説明】
【０００７】
【図１】撮像装置の機能構成を示すブロック図である。
【図２】撮像装置の外観斜視図である。
【図３】記憶部の記憶状態を示す図である。
【図４】撮影時の動作を示すフローチャートである。
【図５】再生時に閲覧者を撮影する動作を示すフローチャートである。
【図６】再生時に閲覧者画像を再生する動作を示すフローチャートである。
【図７】表示部の表示画面を示す図である。
【発明を実施するための形態】
【０００８】
図１は、デジタルカメラとしての撮像装置１の機能構成を示すブロック図である。撮像装置１は、第１撮像部２と、第２撮像部３と、制御部４と、保持検出部５と、操作部６と、表示部７と、音声出力部８と、記憶部９とを備える。
【０００９】
第１撮像部２は、撮像光学系２１と、撮像素子２２と、レンズ駆動回路２３とを備えている。撮像光学系２１は、ズームレンズやフォーカスレンズを含む複数のレンズ群で構成され、被写体像を撮像素子２２の受光面に結像させる。なお、図１を簡単にするため、撮像光学系２１を単レンズとして図示している。レンズ駆動回路２３は、制御部４の制御のもと、撮像光学系２１のズームレンズを駆動して焦点距離を調節するとともに、撮像光学系２１のフォーカスレンズを駆動して焦点調節を行う。撮像素子２２は、例えばＣＣＤイメージセンサやＣＭＯＳイメージセンサなどで構成され、撮像光学系２１により結像した被写体像を撮像して、得られた画像信号を制御部４へ出力する。
【００１０】
第２撮像部３は、撮像光学系３１と、撮像素子３２とを備えている。撮像光学系３１は、単焦点のレンズで構成され、被写体像を撮像素子３２の受光面に結像させる。撮像素子３２は、例えばＣＣＤイメージセンサやＣＭＯＳイメージセンサなどで構成され、撮像光学系３１により結像した被写体像を撮像して、得られた画像信号を制御部４へ出力する。第２撮像部３は、後述するように、第１撮像部２の反対側に設けられ、撮像装置１で撮影中の撮影者や再生している画像の閲覧者を撮影する。
【００１１】
制御部４は、ＣＰＵおよびその他の周辺回路等により構成され、撮像装置１の全体の制御を行う。制御部４は、撮像素子２２、３２から取得した画像信号から画像データを生成する。制御部４の内部には、図示省略するメモリが設けられ、このメモリには、撮像素子２２、３２からの画像信号を基に取得される画像データを一時的に記憶するために使用される。また、このメモリには、後述するフローチャートで示すプログラムが記憶される。
【００１２】
保持検出部５は、撮影者が撮像装置１を手で保持しているかを検出する。保持検出部５は、例えば、撮像装置１の保持部に設けられたタッチセンサ等である。
【００１３】
操作部６は、撮影者や閲覧者によって操作される種々の入力部材、例えば、電源スイッチ、レリーズボタン、再生ボタンなどにより構成される。操作部６は、各ボタンが操作されると、各操作に応じた操作信号を制御部４へ出力する。
【００１４】
表示部７は、撮像装置１の背面に搭載された液晶モニタ（背面モニタ）等で構成され、撮像素子２２、３２で撮像された画像や各種設定メニューなどが表示される。
【００１５】
音声出力部８は、制御部４からの指示により、音声合成による音声メッセージを出力する。
【００１６】
記憶部９は、後述する被写体画像、撮影者画像、閲覧者画像などを記憶する。制御部４は、撮像素子２２、３２から取得した画像信号に対して所定の画像処理を行って静止画像データを生成し、ＪＰＥＧなどの所定の方式により圧縮処理を施して、被写体画像、撮影者画像、閲覧者画像などを記憶部９に記録する。
【００１７】
図２は、撮像装置１の外観斜視図である。撮像装置１の前面には、第１撮像部２が配置されている。撮像装置１の上面にはレリーズボタン６ａが設けられている。撮像装置１の背面には、第２撮像部３、表示部７、再生モード切替ボタン６ｂ、識別情報切替ボタン６ｃ、各種設定の為の十字キー６ｄ、音声メッセージを出力するスピーカ８ａが配置されている。撮像装置１の前面側部の保持部にはタッチセンサ５ａが設けられている。
【００１８】
撮影者は、撮像装置１を保持して第１撮像部２により被写体を撮影する。この時、撮像装置１を保持していればタッチセンサ５ａに右手が触れた状態になる。そして、撮影者が撮像装置１の背面側に位置していれば、第２撮像部３により撮影者を撮影する。また、撮影終了後に、閲覧者が撮像装置１を保持して画像の再生を行って、表示部７に表示されている画像を閲覧している時に、第２撮像部３により閲覧者を撮影する。
【００１９】
図３は、記憶部９の記憶状態を示す図である。被写体画像９ａに対応付けて、撮影者画像９ｂ、閲覧者画像９ｃ、識別情報９ｄ、評価値９ｅが記憶される。被写体画像９ａは、撮影者がレリーズボタン６ａを操作して第１撮像部２により撮影した被写体の画像である。撮影者画像９ｂは、撮影者が第１撮像部２により被写体を撮影している時に、第２撮像部３により撮影された撮影者の画像である。
【００２０】
閲覧者画像９ｃは、閲覧者が表示部７に表示されている画像を閲覧している時に、第２撮像部３により撮影された閲覧者の画像である。閲覧者画像９ｃには、閲覧者画像９ｃｉ〜９ｃｋと閲覧者画像９ｃｘ〜９ｃｚが記憶される。閲覧者画像９ｃｉ〜９ｃｋは、撮影者自身が写っている画像であり、画像の良好度に基づく評価値が高い順に３枚の画像が記憶されている。閲覧者画像９ｃｘ〜９ｃｚは、撮影者以外の人物が写っている画像であり、画像の良好度に基づく評価値が高い順に３枚の画像が記憶されている。
【００２１】
識別情報９ｄは、撮影者自身が写っている画像か撮影者以外の人物が写っている画像かを指定する識別情報である。具体的には、閲覧者画像９ｃｉ〜９ｃｋにそれぞれ対応して、撮影者自身が写っている画像であることを示す識別情報９ｄとして「１」が記憶され、閲覧者画像９ｃｘ〜９ｃｚにそれぞれ対応して、撮影者以外の人物が写っている画像であることを示す識別情報９ｄとして「０」が記憶されている。
【００２２】
評価値９ｅは、閲覧者画像９ｃの良好度を評価した結果の評価値が記憶される。具体的には、閲覧者画像９ｃを解析して、閲覧者画像９ｃ内の笑顔の人数の多さ、顔の大きさ、撮影のブレの少なさ、露光の適切さなどを評価して段階的に数値化して、これを評価値として記憶する。
【００２３】
図３では、１枚の被写体画像９ａに対応付けて、撮影者画像９ｂ、閲覧者画像９ｃ、識別情報９ｄ、評価値９ｅが記憶されている状態を図示しているが、被写体画像９ａが複数枚ある場合は、それぞれの被写体画像９ａに対応付けて、撮影者画像９ｂ、閲覧者画像９ｃ、識別情報９ｄ、評価値９ｅがそれぞれ記憶される。
【００２４】
以下、本実施の形態における撮像装置１の動作を、図４〜図６に示すフローチャートを参照して説明する。図４〜図６に示すフローチャートの処理は制御部４内のＣＰＵがフローチャートで示すプログラムを実行することによって行われる。以下の説明で特に明示しない場合は、フローチャートの各ステップの実行主体は制御部４内のＣＰＵである。
【００２５】
図４は、撮像装置１の撮影時の動作を示すフローチャートである。撮影者は、図２に示す撮像装置１の保持部を保持してタッチセンサ５ａに触れた状態で、第１撮像部２を被写体に向けて撮影の体勢に入る。そして、図４のステップＳ４０１で、制御部４は、レリーズボタン６ａが押下されたかを検出する。レリーズボタン６ａが押下されると、ステップＳ４０２へ進み、制御部４は、第１撮像部２により被写体を撮影する。制御部４は、撮像素子２２から取得した画像信号から被写体画像を生成し、制御部４の内部のメモリに、撮像素子２２からの画像信号を基に取得される被写体画像を一時的に記憶する。
【００２６】
次に、ステップＳ４０３へ進み、制御部４は、撮影された被写体画像を記憶部９へ記憶する。具体的には、図３に示すように、被写体画像９ａとして記憶部９へ記憶される。
【００２７】
次に、ステップＳ４０４へ進み、制御部４は、第２撮像部３により撮影者を撮影する。第２撮像部３は、図２に示すように、撮像装置１の背面に設けられており、撮像装置１を保持した撮影者の顔を中心に撮影することになる。撮影された撮影者画像は制御部４内のメモリに一時的に記憶される。なお制御部４は、ステップＳ４０４の第２撮像部３による撮影者の撮影と、ステップＳ４０２の第１撮像部２による被写体の撮影と同じタイミングで行うようにしてもよい。
【００２８】
次に、ステップＳ４０５へ進み、制御部４は、撮影された撮影者画像を解析し、撮影者が撮影されているか判別する。具体的には、撮影者の両眼、鼻、そして口が撮影者画像内に含まれているかを解析し、何れも含まれていれば撮影者が撮影されていると判別する。眼、鼻、口のいずれかが含まれていない場合や、ブレがある場合や、露光が適切でない場合は撮影者が撮影されていないと判別する。撮影者が撮影されていると判別された場合はステップＳ４０６へ進む。
【００２９】
ステップＳ４０６で、制御部４は、ステップＳ４０２で撮影された被写体画像９ａとステップＳ４０４で撮影された撮影者画像９ｂを対応付けて記憶部９へ記憶する。具体的には、図３に示すように、撮影者画像９ｂは被写体画像９ａに対応付けて記憶部９へ記憶される。
【００３０】
上記ステップＳ４０５で、撮影者が撮影されていないと判別された場合はステップＳ４０７へ進む。ステップＳ４０７で、制御部４は、撮影者が撮影されていないことを示すメッセージを音声出力部８より出力させる。具体的には、音声出力部８より「撮影者が撮影されていません。カメラに対向する位置へ顔を向けてください。」などのメッセージを音声合成によりスピーカ８ａより音声で出力する。または、制御部４は、撮影者画像内に眼、鼻、口のいずれかが含まれていない場合や、ブレがある場合や、露光が適切でない場合等においては、撮影者が撮影されていないことを示すメッセージを表示部７へ表示させるようにしてもよい。また制御部は、撮影者が撮影されていないことを示すメッセージをスピーカ８ａより音声で出力し、かつ、表示部７へ表示させるようにしてもよい。
【００３１】
次に、ステップＳ４０８へ進み、制御部４は、撮影者が撮像装置１を保持しているかを検出する。具体的には、図２に示すように、撮像装置１の前面側部の保持部に設けられているタッチセンサ５ａを撮影者が触れているかを保持検出部５により検出する。
【００３２】
撮影者が撮像装置１を保持していることが検出された場合は、ステップＳ４０４へ戻り、第２撮像部３により撮影者を撮影する。すなわち、撮影者が撮像装置１を保持している間は、撮影者が撮影されるまで撮影を繰り返す。これにより、第１撮像部２による被写体の撮影に対応して、第２撮像部３により撮影者を撮影することができる。
【００３３】
ステップＳ４０８で、撮影者が撮像装置１を保持していることが検出されなかった場合は、ステップＳ４０９へ進む。ステップＳ４０９では、制御部４は、撮影者が撮影されなかったことを示すメッセージを音声出力部８より出力させる。具体的には、音声出力部８より「撮影者が撮影できませんでした。」などのメッセージを音声合成によりスピーカ８ａより音声で出力する。
【００３４】
なお、撮影者が撮影されなかった場合は、別途、手動操作により、第２撮像部３により撮影者を撮影して、この撮影者画像９ｂを被写体画像９ａに対応付けて記憶部９へ記憶するようにしてもよい。具体的には、操作部６で、第２撮像部３による撮影者の撮影モードに設定する。そして、対応付ける被写体画像９ａを表示部７に表示した状態でレリーズボタン６ａを押下して第２撮像部３により撮影者を撮影する。
【００３５】
以上の撮影動作により、被写体が撮影される毎に、撮影者の撮影者画像９ｂを被写体画像９ａに対応付けて記憶部９に順次記憶する。
【００３６】
次に被写体画像９ａを再生する場合の動作を図５、図６に示すフローチャートを参照して説明する。
【００３７】
被写体画像９ａを再生するには、図１に示す操作部６を操作して、被写体画像９ａのサムネイル画像を表示部７に一覧表示させ、サムネイル画像を十字キー６ｄなどの操作により指定して、再生する被写体画像９ａを決定する。被写体画像９ａを再生するにあたって、図２に示す再生モード切替ボタン６ｂを操作して再生モードを指定する。再生モード切替ボタン６ｂは押圧する毎に第１再生モードと第２再生モードを切り替える。第１再生モードは、被写体画像９ａを再生すると共に、閲覧者を撮影するモードである。第２再生モードは、被写体画像９ａを再生すると共に、閲覧者画像を再生するモードである。
【００３８】
図５は、再生時に閲覧者を撮影する動作を示すフローチャートである。
再生モード切替ボタン６ｂを操作して、被写体画像９ａを再生すると共に、閲覧者を撮影する第１再生モードに切り替える。ステップＳ５０１では、制御部４は、再生が指定された被写体画像９ａを記憶部９より読み出して表示部７へ再生表示する。この場合、制御部４は、記憶部９に記憶されている被写体画像９ａを再生する再生部として機能する。
【００３９】
次のステップＳ５０２では、制御部４は、第２撮像部３により閲覧者を撮影して閲覧者画像を取得する。閲覧者は、表示部７に再生されている被写体画像９ａを、表示部７に正対して閲覧しており、そのため表示部７に並設されている第２撮像部３により閲覧者が撮影される。取得した閲覧者画像は制御部４内のメモリに一時的に記憶される。ステップＳ５０２における制御部４は、被写体画像９ａの閲覧者を第２撮像部３で撮影して閲覧者画像を取得する取得部として機能する。
【００４０】
なお、ステップＳ５０２で、良好な閲覧者画像が取得できなかった場合は、取得できるまでステップＳ５０２の撮影を繰り返すようにしてもよい。良好な閲覧者画像とは、閲覧者の両眼、鼻、そして口が閲覧者画像内に含まれているかを解析し、何れも含まれていれば良好であると判別する。眼、鼻、口のいずれかが含まれていない場合や、ブレがある場合や、露光が適切でない場合は良好ではないと判別する。また、閲覧者画像には複数人の閲覧者が含まれてもよい。
【００４１】
次のステップＳ５０３では、制御部４は、表示部７に再生している被写体画像９ａと対応する撮影者画像９ｂを記憶部９より読み出す。
【００４２】
そして、ステップＳ５０４では、制御部４は、閲覧者画像は撮影者自身かを判別する。具体的には、ステップＳ５０２で取得した閲覧者画像と、ステップＳ５０３で読み出した撮影者画像９ｂを比較し、閲覧者画像は撮影者自身が写っているかを判別する。閲覧者画像に撮影者だけが写っていれば閲覧者画像は撮影者自身と判別する。閲覧者画像に撮影者以外の人物が写っていれば閲覧者画像は撮影者自身ではないと判別する。閲覧者画像に複数の人物が写っていた場合は、その中に撮影者が含まれていたとしても、閲覧者画像は撮影者自身ではないと判別する。ステップＳ５０４における制御部４は、再生されている被写体画像９ａに対応する撮影者画像９ｂと取得された閲覧者画像とを比較して、閲覧者画像が撮影者自身であるかを判別する判別部として機能する。
【００４３】
ステップＳ５０４で、閲覧者画像は撮影者自身であると判別された場合は、ステップＳ５０５へ進む。ステップＳ５０５では、制御部４は、閲覧者画像の識別情報を撮影者とする。具体的には、閲覧者画像に対応して、記憶部９の識別情報９ｄとして「１」を記憶するように、制御部４内のメモリに一時的に記憶する。
【００４４】
次のステップＳ５０６では、制御部４は、閲覧者画像の評価を行う。具体的には、閲覧者画像を解析して、閲覧者画像内の笑顔の人数の多さ、顔の大きさ、撮影のブレの少なさ、露光の適切さなどの各要素を評価して段階的に数値化する。例えば、笑顔の人数の多さは、笑顔の人数を数値化する。顔の大きさは、顔が小さいと「１」にし、顔の大きさが両眼、鼻、口が含まれる大きさを最大の「５」として段階的に数値化する。顔の大きさが両眼、鼻、口が含まれない場合は「０」とする。撮影のブレは、ブレがあると「０」とし、ブレが無いと「５」とする。露光の適切さは、露光が適切でなければ「０」とし、露光が適切であれば「５」とする。これらの各要素を合計した値を評価値とし、閲覧者画像に対応して、記憶部９の評価値９ｅとして記憶するように、制御部４内のメモリに一時的に記憶する。
【００４５】
次のステップＳ５０７では、制御部４は、記憶部９に既に記憶されている閲覧者画像９ｃｉ〜９ｃｋの各評価値９ｅと上記ステップＳ５０６で求めた評価値を比較し、ステップＳ５０６で求めた評価値が高ければ、評価値が高い順に閲覧者画像９ｃｉ〜９ｃｋ、識別情報９ｄ、および評価値９ｅからなる一連の情報を並び替えて、記憶部９に記憶する。すなわち、既に記憶されていた閲覧者画像９ｃｉ〜９ｃｋと比較して、ステップＳ５０２で取得された閲覧者画像の評価値が高ければ、この閲覧者画像が識別情報、評価値と共に新たに記憶部９に記憶される。閲覧者画像９ｃｉ〜９ｃｋには、撮影者であることを指定する識別情報９ｄとして「１」が対応して記憶される。
【００４６】
上記ステップＳ５０４で、閲覧者画像は撮影者自身ではないと判別された場合は、ステップＳ５０８へ進む。ステップＳ５０８では、制御部４は、閲覧者画像の識別情報を閲覧者とする。具体的には、閲覧者画像に対応して、記憶部９の識別情報９ｄとして「０」を記憶するように、制御部４内のメモリに一時的に記憶する。
【００４７】
次のステップＳ５０９では、制御部４は、閲覧者画像の評価を行う。具体的には、閲覧者画像を解析して、閲覧者画像内の笑顔の人数の多さ、顔の大きさ、撮影のブレの少なさ、露光の適切さなどの各要素を評価して段階的に数値化する。そして各要素を合計した値を評価値とし、閲覧者画像に対応して、記憶部９の評価値９ｅとして記憶するように、制御部４内のメモリに一時的に記憶する。
【００４８】
次のステップＳ５１０では、制御部４は、記憶部９に既に記憶されている閲覧者画像９ｃｘ〜９ｃｚの各評価値９ｅと上記ステップＳ５０６で求めた評価値を比較し、ステップＳ５０６で求めた評価値が高ければ、評価値が高い順に閲覧者画像９ｃｘ〜９ｃｚ、識別情報９ｄ、および評価値９ｅからなる一連の情報を並び替えて、記憶部９に記憶する。すなわち、既に記憶されていた閲覧者画像９ｃｘ〜９ｃｚと比較して、ステップＳ５０２で取得された閲覧者画像の評価値が高ければ、この閲覧者画像が識別情報、評価値と共に新たに記憶部９に記憶される。閲覧者画像９ｃｘ〜９ｃｚには、閲覧者であることを指定する識別情報９ｄとして「０」が対応して記憶される。
【００４９】
なお、撮影者自身が写っている閲覧者画像９ｃｉ〜９ｃｋと撮影者以外の人物が写っている閲覧者画像９ｃｘ〜９ｃｚは夫々３枚の例で説明したが、最も評価値の高い閲覧者画像９ｃを夫々１枚記憶してもよく、夫々２枚以上の複数枚を記憶してもよく、ステップＳ５０２で取得した閲覧者画像９ｃの全てを記憶してもよい。いずれの場合も、閲覧者画像９ｃに対応付けて識別情報９ｄを記憶する。
【００５０】
次にステップＳ５１１に進み、制御部４は、操作部６の十字キー６ｄなどの操作により、次の被写体画像９ａの再生指定操作が行われたかを検出する。次の被写体画像９ａの再生指定操作が検出された場合は、ステップＳ５１２に進み、制御部４は、記憶部９の次の被写体画像９ａを再生対象として指定する。その後、ステップＳ５０１に戻り、制御部４は、再生対象として指定された次の被写体画像９ａを記憶部９より読み出して表示部７へ再生表示する。
【００５１】
上記ステップＳ５１１で、次の被写体画像９ａの再生指定操作が検出されない場合は、ステップＳ５１３に進む。ステップＳ５１３では、制御部４は、操作部６から再生の終了指定がなされたかを検出し、検出されなければステップＳ５１１に戻る。ステップＳ５１３で、操作部６から再生の終了指定がなされた場合は処理を終了する。
【００５２】
以上の再生動作により、被写体画像９ａが再生される毎に、その閲覧者の閲覧者画像９ｃを被写体画像９ａに対応付けて記憶部９に順次記憶する。
【００５３】
図６は、再生時に閲覧者画像を再生する動作を示すフローチャートである。
再生モード切替ボタン６ｂを操作して第２再生モードに切り替える。第２再生モードは、被写体画像を再生すると共に、閲覧者画像を再生するモードである。
【００５４】
また、図２に示す識別情報切替ボタン６ｃは押圧する毎に撮影者の指定と閲覧者の指定を切り替える。識別情報切替ボタン６ｃによる撮影者の指定は、識別情報が撮影者として記憶されている閲覧者画像を再生する指定である。識別情報切替ボタン６ｃによる閲覧者の指定は、識別情報が閲覧者として記憶されている閲覧者画像を再生する指定である。閲覧者画像の再生に先立って、識別情報切替ボタン６ｃが操作されて、識別情報として撮影者もしくは閲覧者が予め指定されている。
【００５５】
ステップＳ６０１では、制御部４は、再生が指定された被写体画像９ａを記憶部９より読み出して表示部７へ再生表示する。
【００５６】
次のステップＳ６０２では、制御部４は、再生している被写体画像９ａと対応する閲覧者画像９ｃが記憶部９に記憶されているかを検出する。被写体画像９ａと対応する閲覧者画像９ｃが記憶されていれば、ステップＳ６０３に進む。
【００５７】
ステップＳ６０３では、制御部４は、識別情報切替ボタン６ｃの操作による識別情報の指定が撮影者であるか閲覧者であるかを検出する。識別情報の指定が撮影者であればステップＳ６０４に進む。
【００５８】
ステップＳ６０４では、制御部４は、記憶部９より識別情報９ｄが撮影者として指定されている閲覧者画像９ｃｉ〜９ｃｋを読み出して表示部７に表示する。図７は表示部７の表示画面を示す図である。表示画面の７ａに被写体画像９ａを表示し、７ｂに閲覧者画像９ｃｉ〜９ｃｋの一枚を縮小して表示する。記憶部９には、閲覧者として撮影者自身の閲覧者画像９ｃｉ〜９ｃｋが評価値９ｅの高い順に記憶されており、これを評価値９ｅの高い順に読み出して表示部７へ一定時間表示し、一定時間表示が経過すると次に評価値９ｅの高い閲覧者画像９ｃｉ〜９ｃｋを表示する。したがって、被写体画像９ａを閲覧した撮影者自身の閲覧者画像９ｃｉ〜９ｃｋを被写体画像９ａと合わせて鑑賞することができる。
【００５９】
上記ステップＳ６０３で、識別情報の指定が閲覧者であればステップＳ６０５に進む。ステップＳ６０５では、制御部４は、記憶部９より識別情報９ｄが閲覧者として指定されている閲覧者画像９ｃｉ〜９ｃｋを読み出して表示部７に表示する。図７に示す表示部７の表示画面の７ａに被写体画像９ａを表示し、７ｂに閲覧者画像９ｃｉ〜９ｃｋの一枚を縮小して表示する。記憶部９には、閲覧者として撮影者以外の人物が写っている閲覧者画像９ｃｘ〜９ｃｚが評価値９ｅの高い順に記憶されており、これを評価値９ｅの高い順に読み出して表示部７へ一定時間表示し、一定時間表示が経過すると次に評価値９ｅの高い閲覧者画像９ｃｘ〜９ｃｚを表示する。したがって、被写体画像９ａを閲覧した撮影者以外の閲覧者画像９ｃｉ〜９ｃｋを被写体画像９ａと合わせて鑑賞することができる。
【００６０】
上記ステップＳ６０２で、被写体画像９ａと対応する閲覧者画像９ｃが記憶部９に記憶されていない場合や、上記ステップＳ６０４、Ｓ６０５の処理後はステップＳ６０６に進む。
【００６１】
ステップＳ６０６では、制御部４は、操作部６の十字キー６ｄなどの操作により、次の被写体画像９ａの再生指定操作が行われたかを検出する。次の被写体画像９ａの再生指定操作が検出された場合は、ステップＳ６０７に進み、制御部４は、記憶部９の次の被写体画像９ａを再生対象として指定する。その後、ステップＳ６０１に戻り、制御部４は、再生対象として指定された次の被写体画像９ａを記憶部９より読み出して表示部７へ再生表示する。
【００６２】
上記ステップＳ６０６で、次の被写体画像９ａの再生指定操作が検出されない場合は、ステップＳ６０８に進む。ステップＳ６０８では、制御部４は、操作部６から再生の終了指定がなされたかを検出し、検出されなければステップＳ６０１に戻り、以下、同じ被写体画像９ａと閲覧者画像９ｃの再生を繰り返す。ステップＳ６０８で、操作部６から再生の終了指定がなされた場合は処理を終了する。
以上の再生動作により、被写体画像９ａが再生される毎に、閲覧者の閲覧者画像９ｃを被写体画像９ａに対応付けて表示部７に順次再生する。
【００６３】
（変形例）
本発明は、以上説明した実施の形態を次のように変形して実施することができる。
（１）第２撮像部３により撮影者画像９ｂと閲覧者画像９ｃを撮影するとして説明した。しかし、第１撮影部２により撮影者画像９ｂと閲覧者画像９ｃを撮影するようにしても良い。表示部７が設置角度を変更可能な表示部である場合、撮影者により、第１撮像部２の反対側に設けられた表示部７の設置角度が変更され、表示部７の表示面を被写体側に向けられた場合には、第１撮像部２により撮影者画像９ｂや閲覧者画像９ｃを撮影するようにする。この場合、撮像装置１は、表示部７の設置角度を検出するセンサーを備えるようにする。制御部４は、センサーにより検出された表示部７の設置角度と、保持検出部５の検出結果との少なくともいずれか一方の検出結果を用いて、撮影者画像９ｂと閲覧者画像９ｃの撮影を第１撮像部２により行うか第２撮像部３により行うかを判断する。
【００６４】
（２）図５のステップＳ５０４で、閲覧者画像は撮影者自身であると判別された場合は、閲覧者画像の識別情報を撮影者として、閲覧者画像９ｃｉ〜９ｃｋを記憶する例で説明した。しかし、閲覧者画像は撮影者自身であると判別された場合は、閲覧者画像９ｃｉ〜９ｃｋを記憶しないようにしてもよい。一方、閲覧者画像は撮影者自身ではないと判別された場合に、閲覧者画像９ｃｘ〜９ｃｚを被写体画像に対応付けて記憶部９に記憶する。この場合は、識別情報を記憶する必要はない。そして被写体画像が再生された場合に、再生された被写体画像と対応する閲覧者画像９ｃｘ〜９ｃｚを記憶部９より読み出して再生する。
【００６５】
（３）記憶部９には、被写体画像９ａに対応付けて、撮影者画像９ｂ、閲覧者画像９ｃ、識別情報９ｄ、評価値９ｅを記憶する例で説明した。しかし、被写体画像９ａにリンク情報を設け、リンク情報によって被写体画像９ａと、撮影者画像９ｂ、閲覧者画像９ｃ、識別情報９ｄ、評価値９ｅとを対応付けるようにしてもよい。
【００６６】
（４）第１撮像部２および第２撮像部３で撮影する画像は静止画として説明した。しかし、少なくとも何れか一方は動画であってもよい。例えば、閲覧者を動画で撮影する場合は、第２撮像部３で一定時間撮影した動画あるいは一定のフレーム数撮影した動画と第１撮像部２で撮影した被写体画像とを対応付ける。この場合、被写体画像は静止画であっても良く、動画であってもよい。撮影者を動画で撮影する場合は、制御部４は、被写体を撮影するために撮影者によるレリーズボタン６ａの押下を検出する前に、撮影者の動画の撮影を開始するようにして良い。この場合、制御部４は、撮影者によるレリーズボタン６ａの押下解除を検出するとともに、第２撮像部３による撮影者の動画撮影を終了しても良いし、撮影者によるレリーズボタン６ａの押下解除後の数秒後（たとえば３秒後）に、第２撮像部３による撮影者の動画撮影を終了しても良い。これにより、第１撮像部２による被写体像の撮影前後の撮影者画像の評価値を得ることができる。
【００６７】
（５）被写体画像を再生すると共に、閲覧者を撮影する第１再生モードと、被写体画像を再生すると共に、閲覧者画像を再生する第２再生モードとを備えた例で説明した。しかし、第１再生モードと第２再生モードに分けることなく、閲覧者の撮影と、撮影した閲覧者画像の再生とを連続して行うようにしてもよい。
【００６８】
（６）第２撮像部３で撮影された評価値の高い閲覧者画像９ｃを複数枚記憶する例で説明した。しかし、閲覧者が異なれば異なる閲覧者ごとに閲覧者画像９ｃを複数枚記憶するようにしてもよい。具体的には、閲覧者としてＡさん、Ｂさん、Ｃさん、・・を認識し、認識した各閲覧者毎に閲覧者画像９ｃを記憶する。この場合、各閲覧者毎にその閲覧者画像を評価して評価値の高い閲覧者画像９ｃを記憶するようにしてもよい。
【００６９】
（７）閲覧者画像９ｃを読み出して表示部７に表示する場合に、図７に示すように、表示画面の７ａに被写体画像９ａを表示し、７ｂに閲覧者画像９ｃを縮小して表示する例で説明した。しかし、操作部６の指示に応じて、７ａに閲覧者画像９ｃを表示し、７ｂに被写体画像９ａを縮小して表示してもよい。また、表示画面の７ａに被写体画像９ａを表示し、操作部６の指示に応じて、表示画面の７ａの被写体画像９ａを閲覧者画像９ｃの表示に切り替えて表示してもよい。いずれの場合も、被写体画像９ａに対応付けて閲覧者画像９ｃを表示するものとする。
【００７０】
以上説明した実施の形態によれば、次の作用効果が得られる。
（１）撮像装置は、被写体が撮影された被写体画像と、被写体の撮影を行った撮影者が撮影された撮影者画像とを対応付けて記憶する記憶部９と、記憶部９に記憶されている被写体画像を再生する再生部（制御部４、ステップＳ５０１）と、再生部で被写体画像の再生を行っている場合に、被写体画像の閲覧者が撮影された閲覧者画像を取得する取得部（制御部４、ステップＳ５０２）と、再生されている被写体画像に対応する撮影者画像と取得された閲覧者画像とを比較して、閲覧者画像が撮影者自身ではない場合に、閲覧者画像を被写体画像に対応付けて記憶部９に記憶する制御部４とを備えることを特徴とする。したがって、撮影者自身が閲覧した閲覧者画像を区別することができる。
【００７１】
本発明は、上記の実施の形態に限定されるものではなく、本発明の特徴を損なわない限り、本発明の技術思想の範囲内で考えられるその他の形態についても、本発明の範囲内に含まれる。また、上述の実施の形態と複数の変形例を組み合わせた構成としてもよい。
【符号の説明】
【００７２】
１  撮像装置
２  第１撮像部
３  第２撮像部
４  制御部
５  保持検出部
６  操作部
７  表示部
８  音声出力部
９  記憶部
【図１】
2018148564.tif 000003
【図２】
2018148564.tif 000004
【図３】
2018148564.tif 000005
【図４】
2018148564.tif 000006
【図５】
2018148564.tif 000007
【図６】
2018148564.tif 000008
【図７】
2018148564.tif 000009